(57)【要約】【課題】伸縮性が大きい生地を適所に配置することで、着用者が体を左右に捻じった際に上衣の背面部分および脇下部分に発生する捻じり皺を緩和する上衣を提供する。【解決手段】襟部分１１、袖部分１２、前身頃１３および後身頃１４の部材でシャツ１を構成し、後身頃１４は背面部分全体と左右両方の脇下部分６１とを含むように構成される。また、後身頃１４は、襟部分１１、袖部分１２および前身頃１３に比べて伸縮性の大きい生地で構成したことを特徴とする上衣。【選択図】　図１
2004044033.tif 000002
【特許請求の範囲】
【請求項１】
少なくとも前身頃および後身頃で構成される上衣において、前記後身頃は背面部分と正面の左右両方または左右どちらか一方の脇下部分とを含む領域で形成され、且つ前記後身頃に用いられる生地は、後身頃以外の部分に用いられる生地に比べて伸縮性が大きいことを特徴とする上衣。
【請求項２】
襟部分、袖部分、前身頃および後身頃で構成される上衣において、前記後身頃は背面部分と正面の左右両方または左右どちらか一方の脇下部分とを含む領域で形成され、且つ前記後身頃に用いられる生地は、前記襟部分、袖部分および前身頃に用いられる生地に比べて伸縮性が大きいことを特徴とする上衣。
【発明の詳細な説明】
【０００１】
【発明の属する技術分野】
本発明は上衣に関するものであり、詳しくは伸縮性が大きい生地を適所に配置することで、着用者が上半身を左右に捻じった際の捻じり皺を緩和することができる上衣の構成に関するものである。
【０００２】
【従来の技術】
着用者の上半身の動きに合わせて、衣服のつっぱり感を軽減させる等の目的で、一部の部材に伸縮性の大きい生地を用いたシャツ等の上衣は一般に公知になっている。
例えば、登録実用新案３０１４８１０号には、前身頃、袖および襟は伸縮性の小さい織布地にて縫製し、後身頃は伸縮性の良好な布地にて縫製された伸縮可能な衣服が開示されている。この衣服は、着用者が腕を前方に伸したとき、或いは体を前屈したときには、後身頃全体が伸びて体の動きの妨げにならず、体の動きに引っ掛かり感がなく着心地がよいというものである。
また、特表平８−５０２５５９号には、三角形の伸縮性のマチが、衣服に、袖の下に及び身体部の何れかの側に組み入れられた上半身の衣類、特に運動着が開示されている。この運動着は三角形の伸縮性のマチによって、腕の動きの自由性を高めるというものである。
【０００３】
【発明が解決しようとする課題】
しかし、登録実用新案３０１４８１０号の衣服では、着用者が腕を前方に伸したとき、或いは体を前屈したときには、後身頃全体が伸びて効果を発揮するが、着用者が体を捻じった際には、後述するように伸縮性が小さい前身頃の脇下部分には捻じり皺が発生してしまう。
また、特表平８−５０２５５９号の運動着は、腕の上下の動きに対しては三角形のマチが伸縮するので効果を発揮するが、着用者が体を捻じった際には、前記の登録実用新案３０１４８１０号の衣服と同様に前身頃の脇下部分、および後身頃に捻じり皺が発生してしまう。
このように従来技術では、着用者の上半身や腕の縦横方向の動きに着目した上衣はあったが、上半身を「捻じる」という動作に対して充分な効果を発揮するものはなかった。
そこで本発明は、従来技術の問題点を解消するために、伸縮性が大きい生地を適所に配置し、着用者が体を左右に捻じった際に発生する捻じり皺を緩和する上衣を提供することを目的とする。
【０００４】
【課題を解決するための手段】
前記課題を解決するための手段を以下に述べる。
請求項１に記載の発明は、少なくとも前身頃および後身頃で構成される上衣において、前記後身頃は「背面部分」と「正面の左右両方または左右どちらか一方の脇下部分」とを含む領域で形成され、且つ前記後身頃に用いられる生地は、後身頃以外の部分に用いられる生地に比べて伸縮性が大きいことを特徴とする上衣である。
前記少なくとも前身頃および後身頃で構成される上衣とは、前身頃および後身頃のみで構成される上衣（袖部分と襟部分がないもの）や、前身頃、後身頃および袖部分からなる上衣（襟部分がないもの）や、前身頃、後身頃および襟部分からなる上衣（袖部分がないもの）等である。
請求項２に記載の発明は、襟部分、袖部分、前身頃および後身頃で構成される上衣において、前記後身頃は「背面部分」と「正面の左右両方または左右どちらか一方の脇下部分」とを含む領域で形成され、且つ前記後身頃に用いられる生地は、前記襟部分、袖部分および前身頃に用いられる生地に比べて伸縮性が大きいことを特徴とする上衣である。
前記襟部分、袖部分、前身頃および後身頃で構成される上衣とは、所謂ポロシャツタイプの上衣のことである。
【０００５】
【発明の実施の形態】
以下、本発明の実施の形態について説明する。
まず、着用者が上半身を左右に捻じった際に、上衣に発生する捻じり皺について説明する。なお、以下の説明では説明の簡略化のために、着用者が上半身を右手方向に捻じった場合のみについて説明しているが、着用者が上半身を左手方向に捻じった場合は、右手方向に上半身を捻じった場合に対して左右対称に同様の捻じり皺が発生する。
図４は着用者が腕を下げた状態で上半身を右手方向に捻じった状態を示す背面図である。この場合、左肩７１から右腰７２にわたって背中の対角線方向の領域（図４中の太線で挟まれた領域）に捻じり皺Ａが発生する。
図５は図４の状態（着用者が上半身を右手方向に捻じった状態）から、両腕を体側に上げた状態を示す背面図である。この場合、図４で説明した左肩７１から右腰７２にわたる捻じり皺Ａに加えて、正面の左胸７３部分から左脇下７４部分を経て右腰７２部分にわたる領域にも捻じり皺Ｂが発生する。このように、両腕を体側に上げ上半身を右手方向に捻じった場合は、左肩７１から右腰７２にわたる捻じり皺Ａと左胸７３部分から左脇下７４部分を経て右腰７２部分にわたる捻じり皺Ｂの二種類の捻じり皺が発生する。なお、着用者の体形や上半身を捻じる際の角度等によって、上衣に発生する皺の形は任意であり、図４および図５の図中で示した捻じり皺Ａ、Ｂは一例に過ぎない。
【０００６】
スポーツを行う際には、両腕を上げた状態で上半身を捻じることが多く、図５に示した二種類の捻じり皺が顕著に発生する。例えば図６に示したゴルフのスイングでは、左肩から右腰にわたる捻じり皺Ａと左胸部分から左脇下部分を通り右腰部分にわたる捻じり皺Ｂの二種類の捻じり皺が発生する。図示はしないが、野球（バッティング時）のスイング、テニスのスイングにおいても同様に二種類の捻じり皺が顕著に発生する。
前記のような捻じり皺は、皺が発生する際に着用者は上衣によるつっぱり感や窮屈感を感じると共に、皺の発生後はシャツなどの上衣が、ズボンなど下衣からはみ出し、衣服の着用状態がみだれるといった不具合が生じる。
【０００７】
図４および図５で説明した二種類の捻じり皺Ａ、Ｂのうち、左肩から右腰にわたる捻じり皺Ａは上衣の背面部分に発生するが、左胸部分から左脇下部分を通り右腰部分にわたる捻じり皺Ｂは、背面部分だけでなく正面の脇下部分にまで皺がおよぶ。
そのため、従来技術で挙げた登録実用新案３０１４８１０号のように、後身頃（背面部分のみ）だけに伸縮性の大きい生地を用いた上衣は、左肩から右腰にわたる捻じり皺Ａについては皺を緩和する効果を発揮するが、左胸部分から脇下部分を通り右腰部分にわたる捻じり皺Ｂについては、前身頃（正面）の脇下部分の皺の発生を抑えることができない。また、特表平８−５０２５５９号の運動着では、後身頃は特に伸縮性が大きい生地ではないので、左肩から右腰にわたる捻じり皺Ａおよび左胸部分から左脇下部分を通り右腰部分にわたる捻じり皺Ｂの両方に対して、皺を緩和させることができない。
【０００８】
通常の上衣では、体側に沿った脇線を境に正面部分を前身頃、背面部分を後身頃としている。しかし、本発明に係る上衣では、背面部分だけでなく正面の脇下部分を含むように後身頃を構成し、また脇下部分よりも下側の部分については、通常の上衣と同様に体側に沿った脇線を境に正面部分を前身頃、背面部分を後身頃としている。そして、本発明に係る上衣では、脇下部分を含む後身頃に用いる生地は、後身頃以外の部分（前身頃、袖部、襟部）に用いる生地に比べて伸縮性の大きい生地を用いるので、前記の二種類の捻じり皺Ａ、Ｂの発生を緩和することができる。
【０００９】
本発明でいう脇下部分とは、着用者の筋肉を使って説明すれば、大胸筋の肩側の付け根部分を含む一部、或いは大胸筋全体とそれに付随する所謂脇の下の部分とを含む領域である。従って本発明に用いる後身頃は、通常の背面の領域に加えて前記の所謂脇の下の部分および大胸筋部分の領域までを含むように後身頃が構成されている。
【００１０】
次に本発明に係る上衣に用いる生地は、縦横方向に適度に伸縮性のある生地であれば良く、特に組成や組織を限定するものではないが、丸編機で編成した天竺、鹿子、リブ等の丸編ニット生地、トリコット、ラッセル編機で編成したハーフトリコット、トリコットメッシュ等の経編ニット生地等のニット生地が好ましく、前身頃、袖部分（および襟部分）よりも伸縮性を必要とする後身頃に使用する生地は、ポリウレタン糸、高捲縮仮撚加工を施して伸縮性を持たせたポリエステル糸等の伸縮性を有する糸を少なくとも一部に使用しているものが好ましい。
また、前身頃、袖部分（および襟部分）と後身頃を同じ組成、組織にしたい場合には、後身頃を構成する生地を編成する際に前身頃等を構成する生地を編成する時よりも編密度を粗くしておき、ヒートセットの際にフリーテンションにし、生地を構成する糸が大きく熱収縮するような仕上げ加工することで生地により大きな伸縮性を持たせることが可能である。
【００１１】
本発明に係る上衣に用いる生地の伸縮性は、一定荷重時の生地の伸長率の大小で確認することができる。すなわち、伸長率の大きい生地ほど伸縮性が大きく、伸長率の小さい生地ほど伸縮性が小さい。
本発明に係る上衣の伸長率は、１．８ｋｇｆ荷重時で前身頃、袖部分（および襟部分）でほぼその長さ方向（生地の経方向）で５〜３５％、ほぼその巾方向（生地の緯方向）で３０〜６０％であることが望ましく、後身頃でほぼその長さ方向（生地の経方向）で３５％以上、ほぼその巾方向（生地の緯方向）で６０％以上であることが望ましいが特にこれらに限定されることはない。
伸長率の測定方法は、ＴＥＮＳＩＬＯＮ万能型引張試験機（ＵＴＭ−ＩＩＩ−２００、（株）東洋ボールドウイン社製）を用い、引張強度を１００ｃｍ／分とし、試料生地の大きさは、巾が５ｃｍ、長さが３０ｃｍ、つかみ間隔が２０ｃｍとして１．８ｋｇｆ荷重時の伸長率を計測する。
【００１２】
本発明に係る上衣では、各部材は縫着によって一体化される。
縫着方法としては、本縫い、環縫い、１本針オーバーロック、２本針オーバーロック、インターロック、フラットシーマ等の縫目を形成するミシンで縫着する方法があげられるが、縫目の種類は特にこれらに限定されるものではない。ただ、縫目もストレッチ性を有し、１本針オーバーロック、２本縫いオーバーロック、インターロック、フラットシーマを採用するのが望ましい。
【００１３】
【実施例】
以下、本発明に係る上衣の実施例を図を用いて説明する。
図１（ａ）はポロシャツタイプの実施例の正面図、図１（ｂ）は同じく背面図である。
図１の実施例のシャツ１では、襟部分１１、袖部分１２、前身頃１３および後身頃１４の部材でシャツが構成される。
図１の実施例のシャツ１では、背面部分だけでなく正面の脇下部分６１を含むように後身頃１４を構成し、また脇下部分６１よりも下側の部分については、通常の上衣と同様に体側に沿った脇線６２を境に正面部分を前身頃１３、背面部分を後身頃１４としている。前記の各部材は相互に縫着により一体化されシャツが形成される。縫着方法はインターロックミシンを用い、針糸にポリエステルスパンライクフィラメント糸、かがり糸にウーリーナイロン糸を用いてインターロックの縫目で縫着した。
【００１４】
図１の実施例のシャツ１を構成する生地について説明する。襟部分１１は綿１００％のリブ編組織の生地で１．８ｋｇｆ荷重時の伸長率は経１０％、緯３０％、袖部分１２および前身頃１３は綿１００％の鹿子編組織で１．８ｋｇｆ荷重時の伸長率は経１５％、緯４０％のものを用いた。後身頃１４に用いる生地は綿９０％、ポリウレタン１０％の混率の天竺編組織で１．８ｋｇｆ荷重時の伸長率は経６０％、緯１００％である。
【００１５】
図１の実施例のシャツ１では、後身頃１４は背面部分全体と左右両方の脇下部分６１とを含むように構成される。また、後身頃１４は、襟部分１１、袖部分１２および前身頃１３に比べて伸縮性の大きい生地で構成される。そのため、図４および図５に示した、着用者が右手方向に上半身を捻じった際の左肩から右腰にわたる捻じり皺Ａと左胸部分から左脇下部分を通り右腰部分にわたる捻じり皺Ｂとの二種類の捻じり皺を緩和することができる。着用者が左手方向に上半身を捻じった際に発生する左右対称な捻じり皺についても同様に緩和することができる。従って捻じり皺に起因する、上衣のつっぱり感や窮屈感、衣服の着用状態のみだれといった不具合を抑えることができる。
【００１６】
図１の実施例では、袖部分１２は、半袖状態のものを示したが、本発明に係る上衣の袖部分は、勿論半袖に限らず、長袖、七部袖等、袖の長さは必要に応じて任意であってよい。また図１の実施例では、袖部分１２の形状はラグランスリーブを示したが、本発明に係る上衣の袖部分の形状は勿論それに限らず、セットインスリーブや袖部分のない形状のシャツ（ノースリーブタイプ）としてもよい。本発明に係る上衣の襟部分の形状は、図１の実施例で示したものに限らず、シャツカラー、フラットカラースタンドカラーやハイネックカラー、タートルネックカラー等必要に応じて任意であって良い。襟部分のない形状のシャツ（Ｔシャツタイプ）や襟部分をフード（頭巾）としても良い。
【００１７】
図２（ａ）は襟部分のない形状のシャツ２（Ｔシャツタイプ）の実施例の正面図、図２（ｂ）は同じく背面図である。図１の実施例のシャツ１と同様に、背面部分だけでなく正面の脇下部分６１を含むように後身頃２４を構成し、また脇下部分６１よりも下側の部分は、通常の上衣と同様に体側に沿った脇線６２を境に正面部分を前身頃２３、背面部分を後身頃２４としている。
図２の実施例における袖部分２２、前身頃２３および後身頃２４を構成する生地は、図１の実施例で説明した袖部分１２、前身頃１３および後身頃１４を構成する生地とそれぞれ同様である。図２の実施例においても各部材は縫着により一体化されるが、縫着方法については図１の実施例で説明したところと同様である
【００１８】
図３（ａ）は襟部分および袖部分のない形状のシャツ３の実施例の正面図、図３（ｂ）は同じく背面図である。図１の実施例のシャツ１と同様に、背面部分だけでなく正面の脇下部分６１を含むように後身頃３４を構成し、また脇下部分６１よりも下側の部分は、通常の上衣と同様に体側に沿った脇線６２を境に正面部分を前身頃３３、背面部分を後身頃３４としている。
図３の実施例における前身頃３３および後身頃３４を構成する生地は、図１の実施例で説明した前身頃１３および後身頃１４を構成する生地とそれぞれ同様である。図３の実施例においても各部材は縫着により一体化されるが、縫着方法については図１の実施例で説明したところと同様である。
【００１９】
前記図１から図３の各実施例では、正面の脇下部分が左右対称に含まれるように後身頃を構成したが、目的に応じて着用者が左右のどちらか一方にのみ上半身を捻じるのが明らかな場合は必要な側にだけ正面の脇下部分を含むように後身頃を構成してもよい。図示はしないが、例えば着用者が上半身を右手側のみに捻じることが明らかな場合は、正面の左側脇下部分だけが含まれるように後身頃を構成してもよい。（右側は通常の上衣と同様に体側に沿った脇線を境に前身頃と後身頃とを構成する。）
或いは必要に応じて左右の脇下部分の形状を左右非対称として後身頃を構成しても良い。
【００２０】
【発明の効果】
本発明に係る上衣では、後身頃は背面部分と正面の左右両方または左右どちらか一方の脇下部分とを含むように構成され、且つ後身頃は後身頃以外の部分に比べて伸縮性の大きい生地で構成されるので、着用者が上半身を捻じった際に、肩から反対側の腰に向かって背中の対角線領域に発生する捻じり皺と、正面の胸部分から脇下部分を通り反対側の腰部分にわたる捻じり皺との二種類の捻じり皺を緩和することができる。従って捻じり皺に起因する、上衣のつっぱり感や窮屈感、衣服の着用状態のみだれといった不具合を抑えることができる。
【００２１】
【図面の簡単な説明】
【図１】図１（ａ）は、本発明に係る上衣の実施例（ポロシャツタイプ）の正面図、図１（ｂ）は同じく背面図である。
【図２】図２（ａ）は、本発明に係る上衣の別の実施例（Ｔシャツタイプ）の正面図、図２（ｂ）は同じく背面図である。
【図３】図３（ａ）は、本発明に係る上衣の別の実施例（ノースリーブタイプ）の正面図、図３（ｂ）は同じく背面図である。
【図４】図４は着用者が腕を下げた状態で上半身を右手方向に捻じった状態を示す背面図である。
【図５】図５は、着用者が両腕を体側に上げた状態で上半身を右手方向に捻じった状態を示す背面図である。
【図６】図６は、ゴルフスイング時に発生する二種類の捻じり皺の説明図である
【符号の説明】
１　　シャツ
１１　襟部分
１２　袖部分
１３　前身頃
１４　後身頃
２　　シャツ
２２　袖部分
２３　前身頃
２４　後身頃
３　　シャツ
３３　前身頃
３４　後身頃
６１　脇下部分
６２　脇線
７１　左肩
７２　右腰
７３　左胸
７４　左脇下
Ａ　　捻じり皺
Ｂ　　捻じり皺
【図１】
2004044033.tif 000003
【図２】
2004044033.tif 000004
【図３】
2004044033.tif 000005
【図４】
2004044033.tif 000006
【図５】
2004044033.tif 000007
【図６】
2004044033.tif 000008